(57)【特許請求の範囲】
【請求項１】
エアモータ及びエアピストンにより回転及び軸方向の運動を与えられるドライバビットと、連結されたねじをドライバビットの下方に供給するねじ供給部と、ドライバビットによって打ち出されるねじをガイドするノーズ部と、前記ノーズ部の下端に取り付けられ、ねじを保持する開閉可能な少なくとも一対のガイドを有するバーチカルガイドと、これらドライバビット、ねじ供給部、ノーズ部、バーチカルガイド等から構成され、ねじ締め時にねじ締め方向に向かって押し進められるねじ締め機本体と、ねじ締め方向方向に沿っての移動が可能でねじ締め機本体の移動方向と反対の方向に移動するようにねじ締め機本体に取付けられ、先端が前記バーチカルガイドよりねじ締め方向前方に突出するように配置されたプッシュレバーとを備えたねじ締め機であって、
前記プッシュレバーのバーチカルガイドよりねじ締め方向後方に位置する部分にストッパ部を設け、バーチカルガイドのガイドのねじ締め方向後端部を該ストッパ部に接触させてバーチカルガイドのガイドの開放を阻止することによりガイドがねじを保持し、ねじ締め機本体がねじ締め方向に進んでガイドの前記後端部がストッパ部から外れた時にガイドが開放してねじを保持しなくなるようにしたことを特徴とするねじ締め機。
【請求項２】
前記バーチカルガイドはガイドピンを有し、前記ガイドピンと前記ストッパ部が接触している間はガイド部が閉まっていることを特徴とする請求項１記載のねじ締め機。
【請求項３】
前記バーチカルガイドのガイドが互いに当接するようにスプリングを設けたことを特徴とする請求項１または請求項２記載のねじ締め機。
【請求項４】
前記バーチカルガイドのねじ保持面の内壁に、他のガイドの内壁に対向する少なくとも１個の平面を設け、この平面をねじの進行方向に沿って他のガイド内壁平面との隙間が狭まるように傾斜させたことを特徴とする請求項１または請求項２または請求項３記載のねじ締め機。
【発明の詳細な説明】
【０００１】
【発明の属する技術分野】
本発明はねじを締め付ける際にねじを保持するバーチカルガイドを有するねじ締め機に関するものである。
【０００２】
【従来の技術】
バーチカルガイドをドライバビットの下方に設け、バーチカルガイドがねじを保持する力で反動を低減する構成を本出願人が先に出願した特開平１１−２６２８７１号により提案した。この反動低減装置を構成するバーチカルガイド４１は、図６に示す如く、後述するノーズ部３６の下端に取り付けられ、互いに対向しスプリング２４により対向する向きに押圧される一対のガイド２２により構成され、各ガイド２２のねじ保持面２７の内壁は下方に行くに従って狭くなる角錐形状に形成され、ガイド２２がねじ、とりわけねじ頭部を保持する力によりねじ締め機本体（以下単に本体という）の反動を軽減する。
【０００３】
前記ガイド２２のねじ保持面２７の傾斜角が大きいほどねじ保持力は大きく、またねじが締め終わる直前までねじ頭部を保持する必要があるため、ガイド２２は本体の最下方すなわち被締結材の直近にセットされている。
【０００４】
【発明が解決しようとする課題】
上記反動低減装置により反動に起因するねじ浮きをある程度改善することは可能となった。しかし、本体の押付け力が弱い場合、ガイド２２が本体の最下方に位置するため、ガイド２２がねじ頭部を保持するまで本体が反動を受け浮き上がる。その後、本体が反動により上昇するのはガイド２２により阻止されるが、この時の反動はピストン、ドライバビットの軸心すなわち本体の軸心に加わるため、操作者が把持するハンドル部には回転モーメントが働く。
【０００５】
このため、ねじと本体の軸心がずれ、ねじ頭部が均等の力でガイド２２のねじ保持面２７の内壁に保持されずガイド２２からねじが外れたり、ねじ溝からドライバビットが外れたりする不具合が生じていた。
【０００６】
このように、本体が反動を受け浮き上がろうとする時間に対し、ガイド２２がねじ頭部を保持し、浮き上がりを防ぐ時間が短いため十分に反動を軽減することができず本体が浮き上がり、ねじ浮きを完全に防止するには至らなかった。
【０００７】
本発明の目的は、上記した従来技術の欠点をなくし、反動に起因する本体の上昇を阻止してねじ浮きを完全に防止することである。
【０００８】
【課題を解決するための手段】
上記目的は、プッシュレバーのバーチカルガイドよりねじ締め方向後方に位置する部分にストッパ部を設け、バーチカルガイドのガイドのねじ締め方向後端部を該ストッパ部に接触させてバーチカルガイドのガイドの開放を阻止することによりガイドがねじを保持し、ねじ締め機本体がねじ締め方向に進んでガイドの前記後端部がストッパ部から外れた時にガイドが開放してねじを保持しなくなるようにすることにより達成される。
【０００９】
【発明の実施の形態】
以下本発明の一実施形態を図１〜図５を参照して説明する。
【００１０】
本体１の外枠を形成するボディ５内には圧縮空気取り入れ口３５に連通した蓄圧室４、トリガレバー３３により開閉される操作弁３０が設けられ、上方にあるエアモータ２、遊星歯車装置３を介して回転される有底円筒状の回転体６が回転可能に支持されている。回転体６の内壁には軸方向に延びた一対の凹部１０が設けられている。凹部１０に嵌挿する一対の凸部８を上方に有する回転スライド部材７が軸方向に移動可能な如く回転体６内に設けられている。上端が回転スライド部材７に固着されたシャフト部材９の下部内側にはドライバビット１１を装着するドライバビット装着部４０、下端外周にはピストン部１３が設けられている。ピストン部１３はシリンダ１２内を摺動する。シリンダ１２の上部には、回転スライド部材７が所定距離降下した時に回転スライド部材７のエア遮断面１４と当接するプレート部１５が設けられ、プレート部１５の下方には通気口１６が設けられている。通気口１６は図示しないエア通路を介してエアモータ２の図示しない入気口に連通する。ボディ５の下方とシリンダ１２の外周の間には空気釘打機等において周知構成の戻し空気室２０が形成されている。
【００１１】
ボディ５の下方には、ねじ１８、ドライバビット１１が通過する孔を有し、釘打機において周知構成のノーズ部３６が設けられ、また図示しない連結バンドにより連結され、マガジン１７内に装填された連結ねじ１８をノーズ部３６に自動供給するねじ送り部１９がノーズ部３６近傍に設けられている。
【００１２】
本体１の下方に位置するバーチカルガイド３１は高さ方向のほぼ中央部にピン２１を介してノーズ部３６に取付けられた左右対称形状の一対のガイド２２を有し、上部はノーズ部３６との間に設けられたスプリング２４により付勢され、下部はガイド部を構成し互いに当接している。なお、ガイド２２の上部にはガイドピン部３８が前方に突出するように設けられている。ガイド２２のガイド部は、軸心と平行な２個の垂直面２６と、垂直面２６の下方には、下方に行くに従って隙間が狭まる傾斜平面すなわち角錐面からなる２つの保持面２７で構成される。左右対称形状のガイド２２がスプリング２４により互いに当接している状態では、保持面２７の４個の傾斜平面が四角錘を形成し、４個の垂直面２６で囲まれた空間は、ねじ頭部２９が略接する隙間となっている。
【００１３】
３２は釘打機等において周知のプッシュレバーであり、下方には両端がそれぞれガイドピン部３８に当接し、プッシュレバー３２が押しこまれ上死点の位置にあるときにはガイドピン部３８よりも上方に位置するように配置されたストッパ部３９が設けられている。
【００１４】
以上のように構成された本発明ねじ締め機の動作について以下説明する。
【００１５】
本発明のねじ締め機は、操作弁３０とプッシュレバー３２を共に操作して駆動を開始するものであるが、プッシュレバー３２を図示しない被締結材に押し当てた後操作弁３０を引いても、または操作弁３０を引きながらプッシュレバー３２を被締結材に押し当ててもねじ締めが可能である。
【００１６】
圧縮空気取り入れ口３５を図示しないコンプレッサに接続すると圧縮空気は蓄圧室４、操作弁３０に流入する。プッシュレバー３２を被締結材に押し当てて操作弁３０を作動させると、圧縮空気は操作弁３０及び図示しないエア通路を介して回転体６内に流入し、ピストン部１３上面に空気圧が加わりピストン部１３を下方に押し下げると共に通気口１６を介してエアモータ２に圧縮空気が供給されエアモータ２は回転する。エアモータ２の回転は遊星歯車装置３を介して回転体６及び回転スライド部材７に伝達され、シャフト部材９下端のピストン部１３及びドライバビット１１は降下しながら同時に回転する。ドライバビット１１の下降回転によりその下方にあるねじ１８が連結バンドから離脱し、被締結材に真直にねじ込まれるが、ピストン部１３でねじ１８を押付けるため、反動により本体１が浮き上がる。
【００１７】
ここで図３に示すようにガイド２２の当接部にねじ１８が入り込み、ねじ頭部２９が保持面２７に接触しガイド２２を押し広げようとするが、ガイドピン部３８がストッパ部３９に接触しガイド２２が開くのを阻止されるため、ねじ頭部２９は保持面２７に保持された状態を保つ。ガイド２２はボディ５に固定されているため本体１の浮上がりは阻止され、この状態でねじ１８を締め続けるとねじ１８が締めつけられるに伴って本体１は被締結材側に引き込まれる。本体１が完全に引き込まれプッシュレバー３２が上死点に達すると図４に示すようにガイドピン部３８はストッパ部３９から外れ、ガイド２２はねじ頭部２９により開き始める。その後、ねじ１８が所定位置まで締められるまで本体１は反動により浮き上がろうとするが、ガイド２２はスプリング２４により押圧されているのでガイド２２が開き始めた後もねじ頭部２９を保持し続け、ねじ締め完了まで本体１の浮き上がりを阻止する。
【００１８】
ねじ１８が所定の深さまで締められると、回転スライド部材７はプレート部１５に突き当たり降下を停止すると共に通気口１６が閉じエアモータ２が停止する。操作弁３０を戻すと回転体６内への圧縮空気の流入が遮断され、戻し空気室２０内の圧縮空気によりピストン部１３は元の初期位置に戻る。
【００１９】
【発明の効果】
以上説明したように本発明によれば、ねじ頭部を保持するガイドの開閉を被締結材と本体の相対位置によって制御することにより、ねじ締め開始初期から終了までバーチカルガイドの保持力により本体の浮き上がりを防止することができ、軽い押付け力で確実にねじを締めることができる。
【図面の簡単な説明】
【図１】本発明ねじ締め機の一実施形態を示す一部断面側面図。
【図２】図１のバーチカルガイドを示す一部断面側面図。
【図３】図２のバーチカルガイドの動作状態を示す一部断面側面図。
【図４】図２のバーチカルガイドの動作状態を示す一部断面側面図。
【図５】図３を上面からみた断面図
【図６】従来のバーチカルガイドの一例を示す断面側面図。
【符号の説明】
１は本体、１１はドライバビット、１３はピストン部、１８はねじ、２２はガイド、２７は保持面、２９はねじ頭部、３１はバーチカルガイド、３２はプッシュレバー、３６はノーズ部、３８はガイドピン部、３９はストッパ部である。
【図１】
0003965944.tif 000002
【図２】
0003965944.tif 000003
【図３】
0003965944.tif 000004
【図４】
0003965944.tif 000005
【図５】
0003965944.tif 000006
【図６】
0003965944.tif 000007